(57)【要約】【課題】  従来の収納容器は、足踏みペダルにより蓋体の開閉を行っているが、ペダルを踏む勢いや踏み込み量によっては、蓋体開放限で衝撃が発生し、蓋体の内表面に付着した血液等の飛散、また蓋体を閉める場合は蓋体の自重により落下するため、衝撃の発生などの恐れがある。  上記衝撃に耐えるため、蓋体把持部は堅固で部品数が多い作りとなっており、それに伴う操作や保守が複雑で、かつ故障部位も多くなるため、使い勝手に制限が生じる。【解決手段】  そこで、本方案のホルダーは、開用及び閉用の緩衝装置を取付け、衝撃を緩和し、操作や保守が容易になるよう、蓋体の支持部や締め付け部の部品数を少なくし、かつ軽量な円板状蓋の把持部を設けたものである。【選択図】図１
0003128492.tif 000002
【実用新案登録請求の範囲】
【請求項１】
医療廃棄箱として設置するための廃棄物収納容器を保持するホルダであって、前記容器の本体を載置する台座と、該台座の背面側に立設する支柱部と、該支柱部の上部に回転自在に取付けられた前記容器の円板状の蓋を着脱自在に把持される蓋把持部と、下端が該開閉ペダル部材に連結される開閉ロッド及び該支柱部に取り付けられた開用と閉用の緩衝装置からなるホルダ。
【請求項２】
前記容器の円板状蓋部の端面を、締め付け部を中心に左右２ケ所の端面をＬ字状支持金具で支持し、締め付け部はボルトの締めつけで把持するところを特徴とするホルダ。
【考案の詳細な説明】
【技術分野】
【０００１】  本考案は、病院などの医療機関に設置する医療廃棄物収納容器を保持するホルダに関する。
【背景技術】
【０００２】  従来より、病院における医療廃棄物収納容器の取り扱いについては、ＭＲＳＡ，ＡＩＤＳなどの血液感染が問題視されていることから、感染防止のため、使用済注射針などの医療廃棄物は収納容器に収納し、専門業者に委託し、収納容器ごと焼却している。
【特許文献１】特許出願公開番号平５−１０５２０３
【０００３】  該発明は、医療廃棄物を他の容器に移し直すことなく、直接ペール容器に収納することが出来、かつ容器の円板状の蓋体が着脱可能で、足踏み式により蓋体を開閉する機能を併せ持つ。
【考案の開示】
【考案が解決しようとする課題】
【０００４】  しかしながら、上記発明については、足踏みペダルと蓋体開閉用ロッドの中間にピアノ線等の弾性体を組み入れて、足踏み時の衝撃を緩和させようとしているが、ペダルを踏む勢いや踏み込み量によっては、蓋体開放限で衝撃が発生し、蓋体の内表面に付着した血液などの液体などが飛散する恐れがある。蓋体の閉動作については、緩衝装置がなく、蓋体の自重により閉まるため、蓋体閉時衝撃が発生する。
また、容器の蓋体は着脱自在であるが、上記の衝撃に耐えるため堅固な作りとなり、蓋部支持の部品数が多く、それに伴う操作や保守が複雑となる。更に重量の増加に伴い開閉時の衝撃が大きくなり、故障が発生しやすく使い勝手に制限が生じる。
【課題を解決するための手段】
【０００５】  そこで、本方案のホルダは、開用及び閉用の緩衝装置を取付け、衝撃を緩和し、操作や保守が容易になるよう、蓋体の支持や締め付けの部品数を少なくし、かつ軽量な円板状蓋の把持部を設けたものである。
【考案の効果】
【０００６】  本考案のホルダによれば、容器の蓋体把持部の部品構成がシンプルで、円板状蓋部の取付けが容易に出来、操作性が一段と向上する。
更に、開閉用緩衝装置との組合せによって、衝撃の緩和及び蓋部開放時の蓋体の内表面に付着した血液などの飛散防止に効果がある。
そのため、作業の安全性と効率化が図れ、かつ院内感染の原因となる廃血液や病原菌の人体への付着等を防止することが出来る。
【考案を実施するための最良の形態】
【０００７】  以下、添付図面に基づいて本考案のホルダの実施例を説明する。【０００８】  図１は本考案にかかわる医療廃棄物収納容器ホルダを示す右側面図である。【０００９】  図１〜図６−１Ｃに示すように、本考案のホルダは、廃棄物収納容器（Ａ）の本体を収納設置する台座（１）、該台座の背面部に取り付けられた支柱部（５）、（９）と支柱部（９）に取り付けられた開閉用緩衝装置（１３）、（１４）並びに支柱部（９）の上端部に廃棄物収納容器（Ａ）の廃棄物収納容器蓋体支持部（Ｃ）を着脱自在に把持する把持部（１６）を設置した蓋体把持材（１１）と、台座の先端に開閉足踏みペダル（２）を備え、ペダルロット（３）に連結された開閉足踏みペダル（２）の動力を、支柱部（９）の始点（１０）を介し、蓋体把持材（１１）を開閉させる開閉ロット（４）から構成されている。【００１０】  廃棄物収納容器（Ａ）を収納する部分は、容器を収納する台座（１）と容器を載せる容器積載受金具（７）と開閉足踏みペダル（２）の動力を開閉ロット（４）に伝えるペダルロット（３）及びペダルロット支持材（６）から構成されている。【００１１】  緩衝装置は、支柱部（５）、（９）に油圧式による閉用ピストンシリンダー（１７）と開用ピストンシリンダー（１８）をそれぞれ取付け、開閉ロット（４）にネジ止めされたピストンシリンダーのヘッドを受け止める閉用緩衝装置ストッパー（１２）と開用緩衝装置ストッパー（１５）より構成されている。
開閉それぞれのピストンシリンダーは取付けナットの調節で、また、開閉用衝撃装置ストッパーは上下にスライドすることにより位置調整が出来、緩衝装置の動作時間や開閉角度が変えられる構造になっている。【００１２】  廃棄物収納容器（Ａ）の蓋部を把持する把持部（１６）は、締め付けボルト（１６−ａ）を中心にその左右の蓋部の端面を支持するＬ字状支持金具（１６−ｄ）と、蓋部を上方から締めつけて固定する締め付けボルト（１６−ａ）から構成されている。
【実施例】
【００１３】  次に実施の形態の使用例を説明する。
図１に示すように開閉足踏みペダル（２）を踏むと、ペダルロット（３）に連動されている開閉ロット（４）に上向きの力が伝動し、支柱部（９）に回転が可能なように取付けられた蓋体支持材（１１）を支柱部（９）の上端を視点（１０）として、把持部（１６）で把持された廃棄物収納容器の蓋体（Ｂ）を持ち上げる。【００１４】  図１及び図１−ａに示すように支柱部に開閉用緩衝装置（１３）、（１４）を取り付けている。図１−ａは閉用緩衝装置（１３）の取付けを示す図面で、ペダル（２）を踏むと開閉ロットにネジ止めされていた開用緩衝装置ストッパー（１５）が上昇して、蓋の開限近くに設定されていたシリンダーヘット（２１）に接触し、ピストンシリンダーが作動し衝撃を緩和させる。
図ー１に示す緩衝装置（１３）は閉用で、蓋が閉まると開閉ロットにネジ止めされていた閉用緩衝装置ストッパーが下降し、蓋の閉限近くに設定されていたシリンダーヘットに接触し、ピストンシリンダーが作動し衝撃を緩和させる。
開閉用それぞれのピストンシリンダーは、ナット（１９）の締め付け量によって上下の位置を調整するようになっている。
開閉速度は、ピストンシリンダーの圧力によって決まるため、ピストンシリンダーとの接触動作タイミングを調整すれば、開閉時間を短くかつ衝撃を緩和させることが出来るため、操作者が意図するスムーズな蓋体の開閉が可能となる。【００１５】  次に、図６−１ａ，図６−１ｂ，図６−１ｃに示すように，廃棄物収納容器蓋体Ｂを蓋体支持材１１の下面に沿って平行に移動させながら、蓋体支持材（１１）に取付けられたＬ字状支持金具（１６−ｂ）に挿入して支持し、締め付けボルト（１６−ａ）で蓋体Ｂを締め付け、蓋体Ｂを確実に把持する。【００１６】  廃棄物収納容器（Ａ）への医療廃棄物の投入が完了し満杯になれば、該容器の蓋体（Ｂ）を把持部（１６）より外し、該容器（Ａ）にそれを被せて密着した後、ホルダから取り出される。容器（Ａ）はそのまま収集され、病院などの医療機関から所定の廃棄物処理場まで運搬されるが、容器（Ａ）は密閉されているので、医療廃棄物による感染が防止される。そして、容器（Ａ）は医療廃棄物処理場で焼却、最終処分される。
【産業上の利用可能性】
【００１７】  以上説明したとおり、本考案によれば、密閉容器の円板状蓋体を容易にしかも確実に把持して使用することができ、開閉用緩衝装置によって、衝撃を緩和するため、蓋体開放時には蓋体内部に付着した血液などの飛散防止に効果がある。そのため、院内感染の原因となる廃血液や病原微生物の人体への付着や床への飛散が防止出来、非常に衛生的である。
また、本考案によれば、把持部については、蓋体支持材は扇形の形状で、支持部及び締め付け部の３点は、等間隔で非常にバランスが良く、確実な把持が出来、それらの構成部品は支持金具と締め付けボルトのみのため、取付けは容易で故障部位が少なく、操作及び保守がしやすくなっている。
【図面の簡単な説明】
【図１】本考案におけるホルダの右側面図である。
【図２】ホルダに廃棄物収納容器を納めた斜視図である。
【図３】ホルダの斜視図である。
【図４】ホルダの正面図である。
【図５】ホルダの背面図である
【図１−ａ】図１の緩衝装置の形態を示す左側面図である。
【図６−１ａ】蓋体把持部の把持する前の右側面図である。
【図６−１ｂ】蓋体把持部の把持した後の右側面図である。
【図６−１ｃ】廃棄物収納容器の蓋体の平面図である。
【符号の説明】
１        台車
２        開閉足踏みペダル
３        ペダルロット
４        開閉ロット
５，９    支柱部
６        ペダルロット支持材
７        容器積載受金具
８        支柱部の補強材
１０      支点
１１      蓋体支持材
１２      閉用緩衝装置ストッパー
１３      閉用緩衝装置
１４      開用緩衝装置
１５      開用緩衝装置ストッパー
１６      把持部
１６−ａ  締め付けボルト
１６−ｂ  Ｌ字状支持金具
１７      閉用ピストンシリンダー
１８      開用ピストンシリンダー
１９      ナット
２０      取付けネジ
２１      シリンダーヘット
Ａ        廃棄物収納容器
Ｂ        廃棄物収納容器の蓋体
Ｃ        廃棄物収納容器蓋体支持部
【図１】
0003128492.tif 000003
【図２】
0003128492.tif 000004
【図３】
0003128492.tif 000005
【図４】
0003128492.tif 000006
【図５】
0003128492.tif 000007
【図１−ａ】
0003128492.tif 000008
【図６−１ａ】
0003128492.tif 000009
【図６−１ｂ】
0003128492.tif 000010
【図６−１ｃ】
0003128492.tif 000011
【手続補正書】
【提出日】平成18年10月10日(2006.10.10)
【手続補正１】
【補正対象書類名】実用新案登録請求の範囲
【補正対象項目名】全文
【補正方法】変更
【補正の内容】
【実用新案登録請求の範囲】
【請求項１】
医療廃棄箱として設置するための廃棄物収納容器を保持するホルダであって、前記容器の本体を載置する台座と、該台座の背面側に立設する支柱部と、該支柱部の上部に回転自在に取付けられた前記容器の円板状の蓋を着脱自在に把持される蓋把持部と、下端が該開閉ペダル部材に連結される開閉ロッド及び該支柱部に取り付けられた開用と閉用の緩衝装置からなるホルダ。
【請求項２】
前記容器の円板状蓋部の端面を、締め付け部を中心に左右２ケ所の端面をＬ字状支持金具で支持し、締め付け部はボルトの締め付けで把持することを特徴とする請求項１に記載のホルダ。